(57)【要約】【課題】  ゼロ閾値電圧トランジスタに決定的に依存しないで、前縁部分及び後縁部分を有するパワー・オン・リセット信号を発生する回路及び方法を提供する。【解決手段】  回路は、パワー・オン・リセット信号の前縁部分を発生する起動回路と、パワー・オン・リセット信号の後縁部分を発生する第２の回路とを含む。パワー・オン・リセット回路は、パワー・オン・リセット信号の後縁部分を発生する回路を制御するためにゼロ閾値電圧を有する在来のデバイスに信頼を置かないプロセスによって履行される。【選択図】  図１
2006067548.tif 000002
【特許請求の範囲】
【請求項１】
前縁部分及び後縁部分を有するパワー・オン・リセット信号を発生する方法であって、
電圧源の電圧上昇に応答して、
出力ノードの出力電圧を決定する回路の幾つかのノード電圧を初期化する段階、及び
パワー・オン・リセット信号の前縁部分を発生する段階、
イオン・インプランテーションによって調整されたゼロでない閾値電圧を有する少なくとも第１のトランジスタを介して信号源の入力電圧を設定する段階、
電圧源の継続する電圧上昇に応答して、信号源のトリップ点電圧を過ぎて信号源の入力電圧を高める段階、並びに
該信号源から、パワー・オン・リセット信号の後縁部分を発生する段階、
を含む方法。
【請求項２】
パワー・オン・リセット信号の前縁部分を発生する前記段階は、
電圧源にインバータ出力を結合する段階、
該インバータを介して、接地に結合されるトランジスタのゲートに、電圧源を結合する段階、及び
接地に結合されるトランジスタを介して、接地に、第２のインバータの入力を結合する段階、
を含む請求項１に記載の方法。
【請求項３】
イオン・インプランテーションによって調整されたゼロでない閾値電圧を有する少なくとも第２のトランジスタを介して信号源の入力電圧を設定する段階、
をさらに含む請求項１に記載の方法。
【請求項４】
信号源から、パワー・オン・リセット信号の前縁部分と一致する信号を発生する段階、
をさらに含む請求項１に記載の方法。
【請求項５】
電圧源の継続する電圧上昇の後、パワー・オン・リセット信号の前縁部分を発生する回路を、パワー・オン・リセット信号から分離する段階、
をさらに含む請求項１に記載の方法。
【請求項６】
パワー・オン・リセット信号の後縁部分を発生する前記段階に応答して、パワー・オン・リセット信号の後縁部分を発生する回路から、電圧源を分離する段階、
をさらに含む請求項１に記載の方法。
【請求項７】
電圧源の前記継続する電圧上昇に応答して、パワー・オン・リセット信号の前縁部分を発生する回路から電圧源を分離する段階をさらに含み、該段階は、
コンデンサの電圧がインバータのトリップ点を超えるように電圧源から該コンデンサを充電する段階、及び
接地に結合されるトランジスタをスイッチ・オフする段階、
を含む請求項１に記載の方法。
【請求項８】
パワー・オン・リセット信号の前縁部分を発生する前記段階は、電圧源からコンデンサを充電する段階に応答して生じる請求項１に記載の方法。
【請求項９】
前縁部分及び後縁部分を有するパワー・オン・リセット信号を発生する回路であって、
電圧源と、
接地と、
出力電圧を有し、パワー・オン・リセット信号を出力する出力ノードと、
出力ノードの出力電圧を決定する回路の幾つかのノード電圧を初期化するよう適合され、かつパワー・オン・リセット信号の前縁部分を発生するよう適合される起動回路と、
入力及び出力を有する信号源回路であって、信号源回路の入力における入力電圧が信号源回路のトリップ点電圧を超えるとき、パワー・オン・リセット信号の後縁部分を発生するよう適合された前記信号源回路と、
を備え、パワー・オン・リセット信号を発生する回路のすべてのトランジスタのすべての閾値電圧が、イオン・インプランテーションによってゼロでないように調整されている回路。
【請求項１０】
起動回路は、
電圧源の電圧上昇に応答してパワー・オン・リセット信号の前縁部分を発生するよう適合された電圧検出器、
を含む請求項９に記載の回路。
【請求項１１】
起動回路は、
電圧源及び接地に結合されるコンデンサと、
電圧源及び接地に結合される起動回路の電圧検出器であって、コンデンサ及び出力に結合される入力を有する該起動回路の電圧検出器と、
起動回路の電圧検出器の出力及び接地に結合される起動回路の第１のトランジスタであって、パワー・オン・リセット信号から起動回路を分離するよう適合された該起動回路の第１のトランジスタと、
をさらに含む請求項９に記載の回路。
【請求項１２】
起動回路は、
電圧源及び接地に結合されるコンデンサと、
電圧源及び接地に結合される起動回路の電圧検出器であって、コンデンサ及び出力に結合される入力を有する該起動回路の電圧検出器と、
起動回路の電圧検出器の出力及び接地に結合される起動回路の第１のトランジスタであって、パワー・オン・リセット信号から起動回路を分離するよう適合された該起動回路の第１のトランジスタと、
をさらに含み、電圧源の電圧上昇に応答して、起動回路の電圧検出器の出力は、第１のトランジスタのゲートに電圧源を結合することにより、パワー・オン・リセット信号の前縁部分を発生する請求項９に記載の回路。
【請求項１３】
起動回路は、
電圧源及び接地に結合されるコンデンサと、
電圧源及び接地に結合される起動回路の電圧検出器であって、コンデンサ及び出力に結合される入力を有する該起動回路の電圧検出器と、
起動回路の電圧検出器の出力及び接地に結合される起動回路の第１のトランジスタと、
をさらに含み、電圧源の継続する電圧上昇に応答して、コンデンサの電圧が電圧検出器のトリップ点を超え、電圧検出器は第１のトランジスタのゲートに接地を結合し、そして第１のトランジスタがパワー・オン・リセット信号から起動回路を分離する請求項９に記載の回路。
【請求項１４】
信号源回路は、パワー・オン・リセット信号の後縁部分を発生するよう適合された電圧検出器、
を含む請求項９に記載の回路。
【請求項１５】
信号源回路は、
信号源回路の入力における入力電圧が信号源回路のトリップ点電圧を超えるとき、パワー・オン・リセット信号の後縁部分を発生するよう適合された電圧検出器、
を含む請求項９に記載の回路。
【請求項１６】
電圧源に結合された第１の電流搬送端子、信号源回路の電圧検出器に結合された第２の電流搬送端子、及び信号源回路の出力に結合されたゲートを有するフィードバック・トランジスタ、
をさらに備える請求項９に記載の回路。
【請求項１７】
電圧源の電圧上昇に応答して、信号源回路の入力における電圧が、信号源回路のトリップ点電圧以下に設定される請求項９に記載の回路。
【請求項１８】
電圧源の電圧上昇に応答して、信号源回路の入力における電圧が、信号源回路の入力を接地に結合することにより、信号源回路のトリップ点電圧以下に設定される請求項９に記載の回路。
【請求項１９】
電圧源の電圧上昇に応答して、信号源回路が、パワー・オン・リセット信号の前縁部分と一致した信号を発生する請求項９に記載の回路。
【請求項２０】
電圧源の継続する電圧上昇に応答して、信号源回路の入力における電圧が、信号源回路のトリップ点電圧以上に高められる請求項９に記載の回路。
【請求項２１】
電圧源の継続する電圧上昇に応答して、信号源回路の入力における電圧が、インバータの入力を電圧源に結合することにより、信号源回路のトリップ点電圧以上に高められる請求項９に記載の回路。
【発明の詳細な説明】
【技術分野】
【０００１】
本発明は、パワー・オン・リセット・パルス信号を発生するパワー・オン・リセット回路に関する。
【背景技術】
【０００２】
集積回路のミッション機能は、信頼性のあるパワー・オン・リセット回路が無い場合、不安定に行われ得る。パワー・オン・リセット回路は、集積回路または集積回路の部分に予想通りに電力を供給するのに充分に主電圧供給が上昇してしまうまで、主電圧供給の初期電圧の立上がりから時間において遅延を提供する。一般に、パワー・オン・リセット回路の出力は、回路のミッション機能を遂行する回路の可能化入力に接続される。
【０００３】
米国特許第５，９３６，４４４号のパワー・オン・リセット回路は、ゼロ閾値電圧を有するトランジスタに信頼を置いている。しかしながら、ゼロ閾値電圧を有するトランジスタは、ＣＭＯＳ製造プロセスに幾つかの工程を加え、それにより、実質的に価格を上昇させる。
【特許文献１】米国特許第５，９３６，４４４号
【発明の開示】
【発明が解決しようとする課題】
【０００４】
従って、ゼロ閾値電圧トランジスタに決定的に依存しないで機能するパワー・オン・リセット回路に対する必要性が存在する。
【課題を解決するための手段】
【０００５】
本発明は、前縁部分及び後縁部分を有するパワー・オン・リセット信号を発生するための回路及び方法を提供する。
【０００６】
本発明の一態様において、前縁部分及び後縁部分を有するパワー・オン・リセット信号を発生する回路は、電圧源と、接地と、出力電圧を有し、パワー・オン・リセット信号を出力する出力ノードと、出力ノードの出力電圧を決定する回路の幾つかのノード電圧を初期化するよう適合され、かつパワー・オン・リセット信号の前縁部分を発生するよう適合される起動回路と、入力及び出力を有する信号源回路であって、信号源回路の入力における入力電圧が信号源回路のトリップ点電圧を超えるとき、パワー・オン・リセット信号の後縁部分を発生するよう適合された前記信号源回路と、を備える。パワー・オン・リセット信号を発生する回路のすべてのトランジスタのすべての閾値電圧は、イオン・インプランテーションによってゼロでないように調整されている。なお、起動回路の例は電圧検出器であり、また、信号源回路の例も電圧検出器である。
【０００７】
幾つかの実施形態において、起動回路は、電圧検出器と、トランジスタと、電圧源及び接地に結合されたコンデンサとを含む。起動回路の電圧検出器は、電圧源及び接地に結合される。起動回路の電圧検出器は、コンデンサに結合された入力と出力とを有する。トランジスタは、接地と電圧検出器の出力とに結合され、例えば、信号源回路がパワー・オン・リセット信号の後縁部分を発生するときより以前に、パワー・オン・リセット信号から起動回路を分離する。このような分離は、起動回路がパワー・オン・リセット信号の前縁部分を発生してしまった後に有益であり、信号源はパワー・オン・リセット信号の後縁部分を発生している。この状況において、起動回路及び信号源は、パワー・オン・リセット信号のための競合信号を発生している。
【０００８】
起動回路が、電圧検出器、トランジスタ及びコンデンサを含む場合のもう１つの実施形態において、起動回路の電圧検出器の出力は、第１のトランジスタのゲートに電圧源を結合することにより、パワー・オン・リセット信号の前縁部分を発生する。
【０００９】
起動回路が、電圧検出器、トランジスタ及びコンデンサを含む場合のもう１つの実施形態において、電圧源の継続する電圧上昇に応答して、コンデンサの電圧が電圧検出器のトリップ点を超え、電圧検出器が第１のトランジスタのゲートに接地を結合し、そして第１のトランジスタは、パワー・オン・リセット信号から起動回路を分離する。
【００１０】
もう１つの実施形態において、信号源回路の電圧検出器は、例えば、信号源回路の入力における入力電圧が信号源回路のトリップ点電圧を超えたときに、パワー・オン・リセット信号の後縁部分を発生する。
【００１１】
幾つかの実施形態は、フィードバック・トランジスタを含む。フィードバック・トランジスタは、電圧源に結合される第１の電流搬送端子と、信号源回路の電圧検出器に結合される第２の電流搬送端子と、信号源回路の出力に結合されるゲートとを有する。信号源回路がパワー・オン・リセット信号の後縁部分を発生した後、フィードバック回路は信号源回路から電圧源を分離し、パワー・オン・リセット信号の前縁及び後縁の双方の部分が発生されてしまった後の電力を保存する。このように、パワー・オン・リセット信号の後縁部分の前記発生に応答して、電圧源は、パワー・オン・リセット信号の後縁部分を発生する信号源回路から分離される。
【００１２】
種々の実施形態において、電圧源の電圧上昇は、１つまたは２つ以上の種々の応答を引き起す。１つの応答において、信号源回路の入力における電圧は、例えば信号源回路の入力を接地に結合することによって、信号源回路のトリップ点電圧以下に設定される。もう１つの応答において、信号源回路は、パワー・オン・リセット信号の前縁部分と一致した信号を発生する。このような一致は、信号源回路がパワー・オン・リセット信号の後縁部分を発生するとき以前と関連する。電圧源の継続する上昇以前には、信号源回路は、パワー・オン・リセット信号の後縁部分を未だ発生してしまっていない。従って、電圧源の継続する上昇に先立って、信号源回路がパワー・オン・リセット信号の前縁部分と一致する信号を発生するならば、次に、信号源回路の出力はパワー・オン・リセット信号から分離される必要はない。
【００１３】
種々の実施形態において、電圧源の電圧上昇の後、電圧源の継続する電圧上昇は、例えば電圧源にインバータの入力を結合することにより、信号源回路のトリップ点電圧以上に信号源回路の入力における電圧を高めるというような応答を引き起す。
【００１４】
本発明の一態様において、前縁部分及び後縁部分を有するパワー・オン・リセット信号を発生するための方法が提供される。電圧源の電圧上昇に応答して、回路の１つまたは２つ以上のノード電圧が初期化され、そしてパワー・オン・リセット信号の前縁部分が発生される。初期化されるノードは、出力ノードの出力電圧を決定する。信号源回路の入力電圧は、イオン・インプランテーションにより調整されるゼロでない閾値電圧を有する少なくとも第１のトランジスタを介して設定される。電圧源の継続する電圧上昇に応答して、信号源回路の入力電圧は、信号源回路のトリップ点電圧を過ぎて高められる。パワー・オン・リセット信号の後縁部分が、信号源から発生される。
【００１５】
一実施形態において、パワー・オン・リセット信号の後縁部分を発生することは、複数のステップもしくは段階を含む。インバータ出力が電圧源に結合され、インバータ出力の出力電圧を供給電圧の電圧にもたらす。電圧源は、接地に結合されるトランジスタのゲートに、インバータを介して結合され、トランジスタをターン・オンする。第２のインバータの入力は、接地に結合されるトランジスタを介して、接地に結合され、第２のインバータの入力における電圧を、インバータのトリップ点以下にもってくる。
【００１６】
一実施形態において、信号源の入力電圧は、イオン・インプランテーションにより調整されるゼロでない閾値電圧を有する少なくとも第２のトランジスタを介している。第１及び第２のトランジスタは、電圧源及び接地のような、異なった電圧に結合される。トランジスタ及び抵抗のような回路素子は、第１及び第２のトランジスタを異なった電圧に結合し、双方の異なった電圧が信号源の入力電圧に同時に結合されるのを許容する。
【００１７】
一実施形態において、信号源は、パワー・オン・リセット信号の前縁部分と一致する信号を発生する。電圧源の継続する上昇の以前には、信号源は、パワー・オン・リセット信号の後縁部分を未だ発生していない。従って、電圧源の継続する上昇の先立って、信号源がパワー・オン・リセット信号の前縁部分と一致する信号を発生するならば、次に、信号源の出力は、パワー・オン・リセット信号から分離される必要がない。
【００１８】
多くの実施形態のもう１つの利点は、パワー・オン・リセット信号を発生する前及び後でパワー・オン・リセット回路の電力消費が無視し得るということである。
【発明を実施するための最良の形態】
【００１９】
図１は、パワー・オン・リセット回路の回路図を示す。パワー・オン・リセット回路は、パワー・オン・リセット信号の前縁部分を発生する起動回路と、パワー・オン・リセット信号の後縁部分を発生する信号源回路とを含む。起動回路は、ｎ−型トランジスタ１１０、１２２及び１２４、ｐ−型トランジスタ１１４及び１２０、並びにインバータ１１６を含む。信号源回路は、ｎ−型トランジスタ１３２、１３４、１３６、１３８及び１４４、並びにｐ−型トランジスタ１４２、１４６及び１４８を含む。
【００２０】
起動回路は、以下のように接続される。トランジスタ１１０は、そのゲートがノード１１２に接続され、その双方の電流搬送端子は接地１０８に接続される。トランジスタ１１４、１２２及び１２０は、一方の電流搬送端子がノード１１２に接続され、もう一方の電流搬送端子が電圧源１０５に接続される。トランジスタ１２２のゲート及びトランジスタ１１４のゲートは、ノード１１２に接続される。トランジスタ１２０のゲートは、ノード１１８に接続される。インバータ１１６は、その入力がノード１１２に接続され、その出力がノード１１８に接続される。インバータ１１６は、電圧源の電圧立上がりに応答してパワー・オン・リセット信号の前縁を発生する電圧検出器として働く。トランジスタ１２４は、その一方の電流搬送端子が接地１０８に接続され、もう一方の電流搬送端子がノード１２６に接続され、そしてゲートはノード１１８に接続される。
【００２１】
インバータ１５２は、その入力がノード１５０に接続され、その出力がノード１２６に接続される。インバータ１２８は、その入力がノード１２６に接続され、その出力はパワー・オン・リセット信号１３０を発生する。インバータ１２８の出力は、パワー・オン・リセット回路の出力ノードに接続される。ノード１２６の電圧は、パワー・オン・リセット信号の値を決定するので、ノード１２６は、出力ノードの出力電圧を決定するノードである。パワー・オン・リセット信号１３０は、パワー・オン・リセット信号の後縁部分を発生する信号源回路への入力である。
【００２２】
信号源回路は、以下のように接続される。トランジスタ１３２は、そのゲートがパワー・オン・リセット信号１３０に接続され、その一方の電流搬送端子が接地１０８に接続され、そしてそのもう一方の電流搬送端子がトランジスタ１３４の電流搬送端子に接続される。トランジスタ１３４、１３６及び１３８は、ゲートが電圧源１０５に接続され、電流搬送端子は、ノード１４０とトランジスタ１３２の電流搬送端子との間で直列に接続される。トランジスタ１４２は、そのゲートがノード１４０に接続され、その一方の電流搬送端子がノード１４０に接続され、そのもう一方の電流搬送端子が電圧源１０５に接続される。パワー・オン信号の後縁部分のための電圧検出器として作用する、インバータ接続されたトランジスタ１４４及び１４６は、その入力がノード１４０に接続され、その出力がノード１５０に接続される。トランジスタ１４４の電流搬送端子の一方は、接地１０８に接続される。トランジスタ１４６の電流搬送端子の一方は、トランジスタ１４８の電流搬送端子に接続される。トランジスタ１４８は、そのゲートがノード１２６に接続され、その一方の電流搬送端子がトランジスタ１４６の電流搬送端子に接続され、そしてもう一方の電流搬送端子が電圧源１０５に接続される。
【００２３】
図２は、パワー・オン・リセット信号の前縁及び後縁部分を発生するプロセス・フローを示す。２０５において、電圧源１０８の電圧が接地電圧から立上がる。この電圧立上がりは、パワー・オン・リセット信号１３０の前縁部分が、以下のように発生されるようにする。２１０において、パワー・オン・リセット信号の前縁部分を発生する起動回路のコンデンサが、電圧源１０５から充電される。この例において、コンデンサは、トランジスタ１１０のような、コンデンサ接続されたトランジスタである。充電コンデンサの電圧は、ノード１１２における電圧を決定し、これはまた、インバータ１１６の入力電圧を決定する。最初に、充電コンデンサの電圧は、インバータ１１６のトリップ点以下であるように充分に低い。従って、ノード１１８におけるインバータ１１６の出力電圧は高く、上昇する電圧源１０５に追随する。それ故、２１５において、インバータ１１６を介して電圧源１０５はトランジスタ１２４のゲートに結合される。電圧源１０５がトランジスタ１２４の閾値電圧を過ぎて上昇したとき、トランジスタ１２４はターンオンし、インバータ１２８の入力であるノード１２６に接地１０８を結合する。従って、２２０において、トランジスタ１２４のゲートは接地１０８に結合される。次に、２２５において、トランジスタ１２４を介してインバータ１２８の入力は接地１０８に結合される。インバータ１２８の出力はパワー・オン・リセット信号であるので、インバータ１２８の入力を接地１０８に結合することは、出力ノードの出力電圧を決定する回路のノードを初期化する。結果として、インバータ１２８の出力は電圧源１０５に結合される。２３０において、パワー・オン・リセット信号１３０の前縁部分が、パワー・オン・リセット回路の出力ノードにおいて存在している。
【００２４】
パワー・オン・リセット信号１３０は、トランジスタ１３２のゲートによって受信されて、トランジスタ１３２をターンオンする。直列接続されたトランジスタ１３４、１３６及び１３８は、抵抗として作用する。ノード１４０は、トランジスタ１３２、１３４、１３６及び１３８を介して接地１０８に結合される。ノード１４０は、トランジスタ１４４及び１４６のゲートに接続されている。パワー・オン・リセット信号の後縁部分のための電圧検出器として作用するトランジスタ１４４及び１４６は、接地１０８に結合される。それ故、２３５において、パワー・オン・リセット信号の後縁部分の信号源回路の入力は、接地１０８に結合される。２４０において、この点でのノード１４０の電圧は、パワー・オン・リセット信号の後縁部分の信号源回路のトリップ点電圧以下である。この点でのノード１４０の電圧がこのトリップ点電圧以下であるので、ノード１５０の電圧は、ノード１２６の（接地１０８に結合された）低電圧によってターンオンされているトランジスタ１４８を介して電圧源１０５に追随する。インバータ１５２は、入力としてノード１５０の高電圧を取り、出力として接地１０８の電圧を送る。このように、インバータ１５２の出力は、トランジスタ１２４からの信号と一致し、そしてパワー・オン・リセット信号の前縁部分とも一致する。
【００２５】
２５０において、電圧源１０５の電圧は、上昇し続ける。２５５において、ノード１１２の電圧は、コンデンサ接続されたトランジスタ１１０が充電し続けるにつれて、上昇し続ける。２６０において、ノード１１２の電圧は、インバータ１１６のトリップ点を超える。ノード１１８におけるインバータ１１６の出力電圧は、接地１０８に結合された後、低に降下する。これにより、トランジスタ１２４のゲート上の電圧は、トランジスタ１２４の閾値電圧以下にされて、トランジスタ１２４をターンオフする。結果として、２６５において、パワー・オン・リセット信号の前縁部分を発生する回路は、パワー・オン・リセット信号１３０から分離される。
【００２６】
電圧源１０５の電圧が上昇し続けるとき、トランジスタ１４２はターンオンし、ノード１４０は、トランジスタ１４２を介して電圧源１０５に結合されるようになる。ノード１４０は、トランジスタ１４４及び１４６のゲートに接続される。パワー・オン・リセット信号の後縁部分のための電圧検出器として動作するトランジスタ１４４及び１４６は、接地１０８に結合される。それ故、２７０において、パワー・オン・リセット信号の後縁部分の信号源回路の入力は電圧源１０５に結合される。電圧源１０５の電圧が充分に上昇したとき、２７５において、パワー・オン・リセット信号の後縁部分のための信号源回路の入力電圧は、信号源回路のトリップ点を過ぎて高められる。ノード１５０における信号源の出力電圧は、接地１０８に結合されて低に降下する。インバータ１５２は、入力としてノード１５０における低電圧を受信して、出力としてノード１２６における電圧源１０５の高電圧を送る。インバータ１２８は、入力としてノード１２６における高電圧を受信して、出力として接地１０８の低電圧を送る。インバータ１２８からのこの低電圧出力は、パワー・オン・リセット信号の後縁部分である。結果として、２８０において、パワー・オン・リセット回路の出力ノードに、パワー・オン・リセット信号の後縁部分が存在する。
【００２７】
図３は、本発明の実施形態による集積回路の単純化されたブロック図である。集積回路３５０は、半導体基板上に、局部化された充電トラッピング・メモリ・セルを用いて履行されるメモリ・アレイ３００を含む。電源電圧３０８及びパワー・オン・リセット回路３４０は、集積回路３５０に電力を供給する。行デコーダ３０１が、メモリ・アレイ３００における行に沿って配列された複数のワードライン３０２に結合される。列デコーダ３０３は、メモリ・アレイ３００における列に沿って配列された複数のビットライン３０４に結合される。列デコーダ３０３及び行デコーダ３０１へのバス３０５上にはアドレスが供給される。データ・バス３０７を介して列デコーダ３０３には、ブロック３０６における感知増幅器及びデータ・イン構造が結合される。ブロック３０６におけるデータ・イン構造には、集積回路３５０上の入力／出力ポートから、もしくは集積回路３５０の内部または外部の他のデータ源から、データ・イン・ライン３１１を介してデータが供給される。ブロック３０６における感知増幅器からは、データ・アウト・ライン３１２を介して、集積回路３５０上の入力／出力ポートに、もしくは集積回路３５０の内部または外部の他のデータ送信先に、データが供給される。
【００２８】
本発明を上述で詳細に説明した好適な実施形態及び例を参照して開示したが、これらの例は、制限的な意味ではなくむしろ説明的なものとして意図しているのを理解すべきである。当業者には変更及び組合せが容易に行われ得るであろうことが予想され、これらの変更及び組合せは本発明の精神並びに添付の特許請求の範囲内にあるものである。
【図面の簡単な説明】
【００２９】
【図１】パワー・オン・リセット回路の回路図である。
【図２】パワー・オン・リセット信号の前縁及び後縁部分を発生するプロセス・フローを示す図である。
【図３】パワー・オン・リセット回路を有する集積回路を示す図である。
【符号の説明】
【００３０】
１０５・・・電圧源
１０８・・・接地
１１０、１２２、１２４、１１４、１２０、１１６・・・起動回路
１３２、１３４、１３６、１３８、１４４、１４２、１４６、１４８・・・信号源回路
１１２、１１８、１２６、１４０、１５０・・・ノード
１３０・・・パワー・オン・リセット信号
３４０・・・パワー・オン・リセット回路
【図１】
2006067548.tif 000003
【図２】
2006067548.tif 000004
【図３】
2006067548.tif 000005